(57)【要約】【課題】取り扱いが容易であって、布団のロール状態を十分に維持しながら洗濯を行うことができる布団用洗濯ネット、および、布団洗濯方法を提供する。【解決手段】可撓性を有するシート状の網材２と、この網材２の縁部から延在するベルト３とを備えて布団用洗濯ネット１を構成し、網材２は、当該網材２に重ねられた布団Ｆとともに巻くことによりロール状態の布団Ｆの外周を被覆可能な大きさに設定され、ベルト３は、布団Ｆを被覆した網材２の外周に巻回してロール状態の布団Ｆを締め付け可能な長さに設定されている。【選択図】図２
2020044074.tif 000002
【特許請求の範囲】
【請求項１】
可撓性を有するシート状の網材と、この網材の縁部から延在するベルトとを備え、
前記網材は、当該網材に重ねられた布団とともに巻くことによりロール状態の布団の外周を被覆可能な大きさに設定され、
前記ベルトは、布団を被覆した網材の外周に巻回してロール状態の布団を締め付け可能な長さに設定されていることを特徴とする布団用洗濯ネット。
【請求項２】
前記網材は、布団の重ね位置を示す位置標示部を備えたことを特徴とする請求項１に記載の布団用洗濯ネット。
【請求項３】
前記網材は、布団を係合可能な布団係合部を備えたことを特徴とする請求項１または請求項２に記載の布団用洗濯ネット。
【請求項４】
前記網材乃至ベルトに把手を備え、ロール状態の布団を網材で被覆した状態では前記把手が網材の外方に露出するように構成されたことを特徴とする請求項１から請求項３のいずれかに記載の布団用洗濯ネット。
【請求項５】
請求項１から請求項４のいずれかに記載の布団用洗濯ネットを用いた布団洗濯方法であって、
前記布団用洗濯ネットの網材を広げてその上に布団を重ね、
この重なり状態で網材と布団とを共に巻くことによりロール状態の布団の外周を網材で被覆し、
前記布団を被覆した網材の外周に前記布団用洗濯ネットのベルトを巻回してロール状態の布団を締め付け、
前記ベルトで締め付けられたロール状態の布団を洗濯機の回転ドラム内に投入して洗濯を行うことを特徴とする布団洗濯方法。
【請求項６】
前記網材で被覆されたロール状態の布団を前記回転ドラムの内周面に沿って湾曲する状態で洗濯を行うことを特徴とする請求項５に記載の布団洗濯方法。
【発明の詳細な説明】
【技術分野】
【０００１】
本発明は、布団を洗濯機で洗濯するための布団用洗濯ネット、および、布団用洗濯ネットを用いて布団を洗濯する布団洗濯方法に関する。
【背景技術】
【０００２】
近年、コインランドリーにおいては、一般衣類だけではなく、毛布や布団等の大物洗いを希望する利用者が増加している。コインランドリー内の洗濯機で寝具用布団を洗濯する場合には、中綿の偏りや側地の損傷等の不具合を抑えて仕上がりを良好にするために、布団をロール状に巻いて紐で縛ったり、あるいは、袋状の大きな洗濯ネット（例えば、特許文献１参照）に収納したりして、洗濯中に洗濯機の回転ドラム内で暴れないようにすることが提案されている。
【先行技術文献】
【特許文献】
【０００３】
【特許文献１】特開２００３−１３５８８５号公報
【発明の概要】
【発明が解決しようとする課題】
【０００４】
身の丈よりも大きな布団をロール状に巻き、さらに紐で縛る作業は、体力的に非力な女性にとって重労働である。このため、ロール状態の布団に対して紐の縛り方が不十分であったりして、洗濯中に回転ドラム内で布団の巻きが緩んでしまい、この結果、紐が外れて布団の中綿の偏りや側地の損傷等の不具合が発生してしまう虞がある。また、袋状の大きな洗濯ネットの中にロール状に巻いた布団を収納する作業は、男女を問わず煩雑な重労働である。さらに、袋状の洗濯ネットが大きすぎる場合には、洗濯ネットの中でロール状態の布団が動いてしまったり、側地が洗濯ネットと擦れて損傷する等の不都合も生じる。
【０００５】
本発明は、上記した事情に鑑みてなされたものであり、その目的は、取り扱いが容易であって、布団のロール状態を十分に維持しながら洗濯を行うことができる布団用洗濯ネット、および、布団洗濯方法を提供しようとするものである。
【課題を解決するための手段】
【０００６】
本発明は、上記目的を達成するために提案されたものであり、請求項１に記載のものは、可撓性を有するシート状の網材と、この網材の縁部から延在するベルトとを備え、
前記網材は、当該網材に重ねられた布団とともに巻くことによりロール状態の布団の外周を被覆可能な大きさに設定され、
前記ベルトは、布団を被覆した網材の外周に巻回してロール状態の布団を締め付け可能な長さに設定されていることを特徴とする布団用洗濯ネットである。
【０００７】
請求項２に記載のものは、前記網材は、布団の重ね位置を示す位置標示部を備えたことを特徴とする請求項１に記載の布団用洗濯ネットである。
【０００８】
請求項３に記載のものは、前記網材は、布団を係合可能な布団係合部を備えたことを特徴とする請求項１または請求項２に記載の布団用洗濯ネットである。
【０００９】
請求項４に記載のものは、前記網材乃至ベルトに把手を備え、ロール状態の布団を網材で被覆した状態では前記把手が網材の外方に露出するように構成されたことを特徴とする請求項１から請求項３のいずれかに記載の布団用洗濯ネットである。
【００１０】
請求項５に記載のものは、請求項１から請求項４のいずれかに記載の布団用洗濯ネットを用いた布団洗濯方法であって、
前記布団用洗濯ネットの網材を広げてその上に布団を重ね、
この重なり状態で網材と布団とを共に巻くことによりロール状態の布団の外周を網材で被覆し、
前記布団を被覆した網材の外周に前記布団用洗濯ネットのベルトを巻回してロール状態の布団を締め付け、
前記ベルトで締め付けられたロール状態の布団を洗濯機の回転ドラム内に投入して洗濯を行うことを特徴とする布団洗濯方法である。
【００１１】
請求項６に記載のものは、前記網材で被覆されたロール状態の布団を前記回転ドラムの内周面に沿って湾曲する状態で洗濯を行うことを特徴とする請求項５に記載の布団洗濯方法である。
【発明の効果】
【００１２】
本発明によれば、以下のような優れた効果を奏する。
請求項１および請求項５に記載の発明によれば、網材上に布団を重ねて両者を巻回するだけの作業で布団を網材で被覆することができ、このロール状態の布団をベルトにより十分に締め付けることができる。このため、非力な女性であっても難儀することなく布団を布団用洗濯ネットの中に収納することができ、しかもベルトを締めて洗濯中に布団の巻きが緩む不都合を抑えることができる。これにより、洗濯中に布団が洗濯機内で暴れ難くなり、布団の中綿が偏ったり側地が損傷したりする等の不具合を抑えることができる。
【００１３】
請求項２に記載の発明によれば、布団用洗濯ネットの使用者が布団の重ね位置を簡単に把握することができ、布団の洗濯の準備作業を迅速に行うことができる。
【００１４】
請求項３に記載の発明によれば、布団と網材とを巻く作業中に布団が網材からずれてしまう不都合を抑えることができ、布団の洗濯の準備作業を滞りなく行うことができる。
【００１５】
請求項４に記載の発明によれば、ベルトで締め付けたロール状態の布団を把手に手を掛けて動かすことができるので、布団を持ち上げたり布団の形を整えたりするときに力を込め易くなり、操作性の向上を図ることができる。
【００１６】
請求項６に記載の発明によれば、洗濯機の回転ドラム内でロール状態の布団が暴れてしまう不都合、ひいては、布団が損傷してしまう不都合を抑制することができる。
【図面の簡単な説明】
【００１７】
【図１】布団用洗濯ネットの概略図である。
【図２】布団用洗濯ネットに布団を重ねた状態の説明図であり、（ａ）は布団の隅部を位置標示部に載せた状態、（ｂ）は布団の隅部を網材と布団係合部との間に差し入れた状態である。
【図３】（ａ）は布団と網材とを巻いた状態の説明図、（ｂ）はロール状態の布団を被覆した網材の外周にベルトを巻回した状態の説明図である。
【図４】布団用洗濯ネットを装着してロール状態にした布団の説明図であり、（ａ）はＵ字状に曲げる前の状態、（ｂ）はＵ字状に曲げた状態、（ｃ）は洗濯機の回転ドラム内に投入した状態である。
【図５】線状の位置標示部を備えた布団用洗濯ネットの概略図である。
【図６】線状の位置標示部の左右両側に布団係合部を配置した布団用洗濯ネットの概略図である。
【図７】把手を備えた布団用洗濯ネットの説明図であり、（ａ）はロール状態の布団を被覆した網材の外周にベルトを巻回した状態の説明図、（ｂ）は布団用洗濯ネットを装着してロール状態にした布団をＵ字状に曲げる前の状態の説明図である。
【発明を実施するための形態】
【００１８】
以下、本発明を実施するための形態を図面に基づいて説明する。
布団用洗濯ネット１は、敷布団や掛布団等の寝具用布団をロール状に巻いて洗濯するときに使用される洗濯補助具である。具体的に説明すると、図１に示すように、可撓性を有する矩形シート状の網材２を備え、該網材２の長辺となる縁部（図１中、上縁部）から複数本のベルト３（本実施形態では４本のベルト３）を外方へ延設し、各ベルト３を網材２の短辺に対して平行な姿勢（言い換えると、網材２の短辺方向に沿って延在した姿勢）に設定されている。また、網材２の長辺に沿って並ぶベルト３の列のうち、網材２の短辺寄りに位置するベルト３（図１中、４本のベルト３の列のうち、左右両端にそれぞれ位置するベルト３）においては、網材２の短辺となる縁部（図１中、左縁部および右縁部）から離して配置している。なお、説明の便宜上、網材２のうちロール状に巻く前の布団（広げた状態の布団）を重ねる面を重合面２ａと称し、この重合面２ａの裏側を重合裏面２ｂと称する。
【００１９】
また、各ベルト３の延設端部には面ファスナー等の留め部材５を備え、この留め部材５を介してベルト３の延設端部を網材２の重合裏面２ｂ側へ係止することができるように構成されている。さらに、網材２の重合面２ａのうちベルト３が延設されている縁部（図１中、上縁部）の左右両隅部分には、網材２の長辺と短辺とに跨る帯状の布団係合部６を備えて網材２の縁部に対して傾斜した姿勢に設定している。そして、この布団係合部６の両端部を網材２の縁部（長辺縁部、短辺縁部）へそれぞれ縫い付ける等して止着し、布団係合部６と網材２との間に布団の隅部を差し入れて係合できるように構成されている。また、布団係合部６のうち少なくとも外方に露出する露出面を網材２とは異なる色に設定して、布団の網材２への重ね位置を示す位置標示部７としている。
【００２０】
さらに、網材２の重合裏面２ｂには、網材２の縁部に沿って延在する複数本の帯材１１，１２を止着して、網材２の型崩れ（矩形状から崩れて平行四辺形状に歪む不都合）を帯材１１，１２によって抑えるように構成されている。詳しくは、網材２の長辺に対して平行な複数本の第１帯材１１（本実施形態では３本の第１帯材１１）を互いに離間した状態で止着し、網材２の短辺に対して平行な複数本の第２帯材１２（本実施形態では４本の第２帯材１２）を互いに離間した状態で止着している。なお、第２帯材１２の端部にはベルト３が一体で繋がっており、さらには、ベルト３の延設端部が第２帯材１２（詳しくは、網材２の重合裏面２ｂ上に位置する第２帯材１２）へ留め部材５により係止されるように構成されている。
【００２１】
次に、布団用洗濯ネット１を用いて布団を洗濯する方法、特に、布団に布団用洗濯ネット１を装着して洗濯機の回転ドラムへ投入するまでの作業について説明する。なお、下記の説明では、洗濯対象の布団Ｆとして一般的なシングルサイズの敷布団（長辺が２０００〜２１００ｍｍであり、短辺が１０００ｍｍのサイズの敷布団）を例示する。また、本実施形態の網材２においては、長辺が上記シングルサイズの敷布団の長辺よりも長い寸法（２２００ｍｍ）に設定されており、短辺が上記シングルサイズの敷布団の短辺よりも短い寸法（９００ｍｍ）に設定されている。
【００２２】
まず、図１および図２に示すように、作業台等の平らな場所に布団用洗濯ネット１を置き、網材２を広げて重合面２ａを上に向ける。そして、網材２の重合面２ａ上に布団Ｆを広げて重ね、２つの位置標示部７（布団係合部６）に布団Ｆの隅部を載せて布団Ｆの重ね位置を調整する。すると、図２（ａ）に示すように、布団Ｆの矩形の向きと網材２の矩形の向きとが揃い、布団Ｆの一方の長辺部（図２中、上辺部）が網材２のベルト３側の縁部に沿って並び、他方の長辺部（図２（ａ）中、下辺部）が重合面２ａから外方（詳しくは、網材２を挟んでベルト３とは反対側）へはみ出して位置する。また、重合面２ａ（網材２）のベルト３側の縁部が布団Ｆの下方から外れ、布団Ｆの巻き終わりを包む包み代２ｃに設定される。このような状態で布団Ｆが網材２上に重なったならば、図２（ｂ）に示すように、位置標示部７上に載った布団Ｆの隅部を布団係合部６と網材２との間に差し入れて、布団用洗濯ネット１と布団Ｆの隅部とを係合する。
【００２３】
布団Ｆを布団係合部６により係合した後、布団Ｆを網材２からはみ出した長辺側から巻き始め、布団Ｆと網材２とが重なった箇所においては、この重なり状態で網材２と布団Ｆとを共に巻く。網材２と布団Ｆとを共に巻き終えると、網材２がロール状態の布団Ｆの外周を被覆する（図３（ａ）参照）。そして、網材２に設定した包み代２ｃにより布団Ｆの縁部（巻き終わり）を包み、網材２から延在するベルト３を引きながら網材２（詳しくは、布団Ｆを被覆した網材２）の外周に巻回してロール状態の布団Ｆを締め付け、ベルト３の延設端部を留め部材５により第２帯材１２へ係止して、布団Ｆのロール状態およびベルト３による布団Ｆの締め付け状態を維持する。このとき、図４（ａ）に示すように、ロール状態の布団Ｆの両端部（軸方向の両端部）に巻回されたベルト３は、網材２の短辺となる縁部から離れているので、環状になったベルト３が歪んだとしても、このベルト３が網材２の縁部から外方へ外れてしまう不都合、さらには、ロール状態の布団Ｆの両端部での締め付けが解かれてしまう不都合が生じ難い。
【００２４】
布団Ｆに布団用洗濯ネット１を装着してロール状態にしたならば、図４（ｂ）に示すように、ロール状態の布団Ｆの軸方向の両端部同士を両手で近づけてＵ字状に曲げ、布団用洗濯ネット１が装着された布団Ｆを洗濯機１５の回転ドラム１５ａに投入し易い形状に整える。そして、Ｕ字状の変形を両手で維持しながら布団Ｆを曲がり部分から洗濯機１５の被洗物投入口１５ｂへ通して回転ドラム１５ａ内に投入し、布団Ｆの全体を回転ドラム１５ａ内に入れた後、布団Ｆの曲がり部分が回転ドラム１５ａの内周面に当たるようにして布団Ｆの姿勢を整え、布団Ｆの両端部から両手を離す。すると、布団Ｆが復元力によって両端部同士を互いに離してＵ字状から開くが、回転ドラム１５ａの内周面への当接によって復元が規制される。この結果、図４（ｃ）に示すように、網材２で被覆されたロール状態の布団Ｆが回転ドラム１５ａの内周面に沿って湾曲する。このような手順で布団Ｆ（布団用洗濯ネット１が装着された布団Ｆ）を回転ドラム１５ａの内周面に沿わせて洗濯機１５内への投入が完了したならば、被洗物投入口１５ｂを開閉扉（図示せず）で閉成し、洗濯機１５を操作して洗濯を開始する。
【００２５】
このようにして布団用洗濯ネット１を用いて布団Ｆを洗濯する方法を採用すれば、網材２上に布団Ｆを重ねて両者を巻回するだけの作業で布団Ｆを網材２で被覆することができ、このロール状態の布団Ｆをベルト３により十分に締め付けることができる。このため、非力な女性であっても難儀することなく布団Ｆを布団用洗濯ネット１の中に収納することができ、しかもベルト３を締めて洗濯中に布団Ｆの巻きが緩む不都合を抑えることができる。これにより、洗濯中に布団Ｆが洗濯機１５内で暴れ難くなり、布団Ｆの中綿が偏ったり側地が損傷したりする等の不具合を抑えることができる。そして、網材２で被覆されたロール状態の布団Ｆを回転ドラム１５ａの内周面に沿って湾曲させた状態で洗濯を行うので、洗濯中に洗濯機１５の回転ドラム１５ａ内でロール状態の布団Ｆが暴れてしまう不都合、ひいては、布団Ｆが損傷してしまう不都合を一層抑制することができる。
【００２６】
また、布団用洗濯ネット１の網材２には位置標示部７を備えているので、布団用洗濯ネット１の使用者が布団Ｆの重ね位置（包み代２ｃが確保される状態で布団Ｆを布団用洗濯ネット１へ重ねる位置）を簡単に把握することができ、布団Ｆの洗濯の準備作業を迅速に行うことができる。さらに、網材２に布団Ｆを係合するための布団係合部６を備えているので、布団Ｆと網材２とを巻く作業中に布団Ｆが網材２からずれてしまう不都合を抑えることができ、布団Ｆの洗濯の準備作業を滞りなく行うことができる。しかも、布団係合部６の表面を位置標示部７として機能させているので、網材２に布団係合部６と位置標示部７とを別個に備える必要がなく、シンプルな構成の布団用洗濯ネット１を実現することができる。この結果、布団用洗濯ネット１の製造効率の向上や製造コストの低減を図ることができる。
【００２７】
さらに、網材２に布団Ｆを重ねたときに、巻き初めとなる布団Ｆの縁部が網材２とは重なっていなくても、支障なくロール状態の布団Ｆに網材２を被覆することができる。したがって、収容サイズが予め制限されている袋状の洗濯ネットと比較して、適用可能な布団Ｆのサイズを増やし易い。また、布団Ｆの巻き終端（巻き終わり）を網材２の包み代２ｃで覆うことができ、洗濯中に前記終端が回転ドラム１５ａの内面に擦れて損傷する不都合を防止することができる。
【００２８】
そして、布団Ｆを洗濯乾燥機（洗濯および乾燥を実行可能な洗濯乾燥機）で洗濯した場合には、ロール状態の布団Ｆに布団用洗濯ネット１を装着したまま、洗濯（洗濯工程）に引き続いて乾燥（乾燥工程）を実行してもよい。乾燥工程においても、布団Ｆに布団用洗濯ネット１を装着して回転ドラム１５ａ内に収容しておけば、乾燥中に布団Ｆが洗濯乾燥機内で暴れ難くなり、布団Ｆの中綿が偏ったり側地が損傷したりする等の不具合を抑えることができる。なお、布団Ｆを効率よく乾燥させるために、乾燥工程を一時停止して回転ドラム１５ａ内から乾燥途中の布団Ｆを取り出し、この布団Ｆの巻きの内外を逆にしてから（詳しくは、ロールの中心側だった布団Ｆの縁部が外周側になるように巻き直してから）回転ドラム１５ａ内に再投入して乾燥工程を再開してもよい。このようにすれば、ロール状態にしていることで乾燥機内の温風に晒され難い布団Ｆの縁部を、乾燥工程の再開後には温風に晒し易くして乾燥を促進することができる。
【００２９】
ところで、上記実施形態では、布団Ｆの縁部がはみ出るサイズの網材２を例示したが、本発明はこれに限定されない。要は、ロール状態の布団の外周を被覆可能な大きさに設定されていれば、網材の大きさは問わない。例えば、布団よりもひと回り大きなサイズの網材を採用し、布団の全体が網材に重なるように構成してもよい。また、布団係合部６として帯状部材を採用し、この帯状部材と網材２との間に布団Ｆを挟んで係合可能としたが、本発明はこれに限定されない。要は、網材に布団を係合することができれば、どのような態様の布団係合部を採用してもよい。そして、布団係合部６により布団Ｆの隅部を網材２へ係合したが、本実施形態ではこれに限定されない。要は、布団を網材へ係合して布団の巻き作業時に網材からずれることを阻止することができれば、布団のどの部分を係合してもよい。
【００３０】
さらに、上記実施形態では、布団Ｆの隅部を載せて布団Ｆの重ね位置を示す位置標示部７を例示したが、本発明はこれに限定されない。要は、布団の網材への重ね位置を示すことができれば、どのような態様の位置標示部を採用してもよい。例えば、図５に示すように、網材２の重合面２ａ上のうち、布団の縁部と重なる箇所（言い換えると、重合面２ａにおいて布団が重なる箇所と包み代２ｃとの境目）に線状の位置標示部１７を備え、この位置標示部１７と布団の縁部とを合わせることにより布団が重ね位置に配置されるように設定してもよい。なお、図６に示すように、線状の位置標示部１７に加えて、この位置標示部１７と網材２の短辺とに跨る帯状の布団係合部１８を備え、布団係合部１８と網材２との間に布団Ｆの隅部を係合可能とすれば、布団Ｆと網材２とを巻く作業中に布団Ｆが網材２からずれてしまう不都合、ひいては、包み代２ｃが狭くなって布団Ｆの巻き終端が網材２で被覆できなくなる不都合を避けることができて好適である。
【００３１】
また、上記実施形態では、ベルト３の延設端部と網材２の重合裏面２ｂ側（詳しくは、第２帯材１２）とを係止する留め部材５として面ファスナーを例示したが、本発明はこれに限定されない。要は、ロール状態の布団を締め付けたベルトが緩む不都合を避けることができれば、どのような態様の留め部材を採用してもよい。例えば、留め部材として網材の重合裏面側にバックルを備え、このバックルにベルトの延設端部を係止してベルトの緩みを避けてもよいし、あるいは、ベルトの延設端部にフックを備え、このフックを網材の重合裏面側に引っ掛けてベルトの緩みを避けてもよい。
【００３２】
さらに、上記実施形態では、布団用洗濯ネット１が装着されたロール状態の布団ＦをＵ字状に曲げて洗濯機１５の回転ドラム１５ａに投入するが、この曲げ作業がし易くなる構成を布団用洗濯ネット１に備えてもよい。例えば、図７に示す実施形態では、網材２の短辺寄りに位置する第２帯材１２（言い換えると、ロール状態の布団Ｆの両端部（軸方向の両端部）を締め付ける第２帯材１２）に、手で把持することが可能な把手２０をそれぞれ備え、ロール状態の布団Ｆを網材２で被覆した状態では、把手２０が網材２の外方に露出するように構成されている。このような把手２０を備えた布団用洗濯ネット１を用いて布団Ｆをロール状に巻いて被覆すれば、ベルト３で締め付けたロール状態の布団Ｆを把手２０に手を掛けて動かすことができるので、布団を持ち上げたり布団の形を整えたりするときに力を込め易くなり、操作性の向上を図ることができる。
【００３３】
なお、図７に例示した把手２０は、第２帯材１２とは別個の帯材を網材２へ第２帯材１２を介して取り付けて構成されているが、本発明はこれに限定されない。要は、ベルトで締め付けたロール状態の布団Ｆを把手に手を掛けて動かすことができれば、把手の態様をどのように設定してもよい。例えば、網材２の重合裏面２ｂやベルト３に把手を備えてもよいし、あるいは、第２帯材１２の一部を網材２の重合裏面２ｂへの止着を避け、この非止着部分を把手として機能させてもよい。
【００３４】
そして、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【符号の説明】
【００３５】
１  布団用洗濯ネット
２  網材
２ａ  重合面
２ｂ  重合裏面
２ｃ  包み代
３  ベルト
５  留め部材
６  布団係合部
７  位置標示部
１１  第１帯材
１２  第２帯材
１５  洗濯機
１５ａ  回転ドラム
１５ｂ  被洗物投入口
１７  位置標示部
１８  布団係合部
２０  把手
【図１】
2020044074.tif 000003
【図２】
2020044074.tif 000004
【図３】
2020044074.tif 000005
【図４】
2020044074.tif 000006
【図５】
2020044074.tif 000007
【図６】
2020044074.tif 000008
【図７】
2020044074.tif 000009